(57)【特許請求の範囲】
【請求項１】
ジャックへケーブルを相互接続するための通信用プラグであって、前記通信用プラグが、
トップ・サイド、ボトム・サイド、ジャックと噛み合うように適合されたフロント・エンド、及びケーブルと噛み合うように適合されたバック・エンドを有する誘電性のキャリア、
前記キャリア上に配置された導体の第１及び第２のグループであって、前記導体のそれぞれが第１のエンドと第２のエンドを有し、導体の前記第１のグループの前記導体のそれぞれの第１のエンドが前記キャリアの前記バック・エンドに隣接して配向され、導体の前記第１のグループの前記導体のそれぞれが前記キャリアの前記フロント・サイドの周囲に前記キャリアの前記ボトム・サイドに沿って前記キャリアの前記バック・エンドから延び、前記キャリアの前記トップ・サイドにおいて終端し、導体の前記第１のグループの第２のエンドのそれぞれが前記キャリアの前記フロント・サイドと前記キャリアの前記バック・エンドの間に配向されるようになっており、
導体の前記第２のグループのそれぞれの前記第１のエンドが前記キャリアの前記バック・エンドに隣接して配向され、導体の前記第２のグループの前記導体のそれぞれが前記キャリアの前記フロント・サイドの周囲に前記キャリアの前記トップ・サイドに沿って前記キャリアの前記バック・エンドから延び、前記キャリアの前記ボトム・サイドにおいて終端し、導体の前記第２のグループの前記第２のエンドのそれぞれが前記キャリアの前記フロント・サイドと前記キャリアの前記バック・エンドのあいだに配向されるようになっていることを特徴とする通信用プラグ。
【請求項２】
請求項１記載の通信用プラグであって、前記導体の電気的な分離が、導体の前記第１のグループの前記第２のエンドと導体の前記第２のグループの前記第１のエンドの間の領域において最大化されるものであって、前記導体のクロストークが前記キャリアの前記フロント・エンドに向かって集中されることを特徴とする通信用プラグ。
【請求項３】
請求項１記載の通信用プラグであって、前記導体の前記第１のエンドのそれぞれは絶縁変位コネクタとして構成されることを特徴とする通信用プラグ。
【請求項４】
請求項１記載の通信用プラグであって、前記導体上に配置され、ケーブルの公称インピーダンスへプラグ及びジャックのシステムのインピーダンスをマッチさせるための手段をさらに含むことを特徴とする通信用プラグ。
【請求項５】
請求項４記載の通信用プラグであって、ケーブルの公称インピーダンスへプラグ及びジャックのシステムのインピーダンスをマッチさせるための前記手段が前記導体の一つに配置された第１のプレートと前記導体の他の一つに配置された第２のプレートを含み、前記第１および第２のプレートが実質的に平行であることを特徴とする通信用プラグ。
【請求項６】
請求項５記載の通信用プラグであって、さらに前記第１及び第２のプレートを隔てるための手段を含むことを特徴とする通信用プラグ。
【請求項７】
請求項６記載の通信用プラグであって、前記隔てるための手段が誘電性プラスチック製のスペーサであることを特徴とする通信用プラグ。
【請求項８】
請求項６記載の通信用プラグであって、前期隔てるための手段が誘電性のテープであることを特徴とする通信用プラグ。
【請求項９】
請求項１記載の通信用プラグであって、前記第１のグループが２つの導体ペアを含み、前記第２のグループが２つの導体ペアを含むことを特徴とする通信用プラグ。
【請求項１０】
請求項９記載の通信用プラグであって、導体の前記第１のグループが導体の前記第２のグループの間に挿入されることを特徴とする通信用プラグ。
【請求項１１】
請求項９記載の通信用プラグであって、前記導体上に配置され、ケーブルの公称インピーダンスへプラグ及びジャックのシステムのインピーダンスをマッチさせるための手段をさらに含むことを特徴とする通信用プラグ。
【請求項１２】
請求項１１記載の通信用プラグであって、ケーブルの公称インピーダンスへプラグ及びジャックのシステムのインピーダンスをマッチさせるための前記手段が第１の前記導体上に配置された第１のプレート、及び第２の前記導体上に配置された第２のプレートを含み、前記第１及び第２のプレートが実質的に平行であることを特徴とする通信用プラグ。
【請求項１３】
請求項１２記載の通信用プラグであって、前記第１のプレートが前記導体ペアの一つの内の前記導体の一つ上に配置され、前記第２のプレートが前記導体ペアの同じ一つの内の他の前記導体上に配置されることを特徴とする通信用プラグ。
【請求項１４】
複数のワイヤを含んでいるケーブルを終端するための通信用プラグであって、前記通信用プラグが、
トップ・サイド、ボトム・サイド、ジャックと噛み合わせのためのフロント・エンド、及びケーブルとの接続のためのバック・エンドを有するキャリア、
前記キャリア上に配置された複数の導体であって、前記導体のそれぞれが第１のエンド及び第２のエンドを有し、前記導体の少なくとも一つが前記フロント・エンドの周囲に前記トップ・サイドに沿って前記バック・エンドから延び、前記キャリアの前記ボトム・サイドに沿って終端し、その第１のエンドは前記キャリアの前記フロント・エンドと前記バック・エンドの間の前記ボトム・サイド上に配置されるようになっており、及び、前記導体の少なくとも一つが前記フロント・エンドの周囲に前記ボトム・サイドに沿って前記バック・エンドから延び、前記キャリアの前記トップ・サイドに沿って終端し、その第１のエンドは前記キャリアの前記フロント・エンドと前記バック・エンドの間の前記トップ・サイド上に配置されるようになっており、前記導体はケーブル中のワイヤとの電気的接続を確立するために構成され、
相補性クロストークのレベルを固定するための手段、及び、
前記プラグがジャックに噛み合わされるときに、前記キャリアの前記フロント・エンドにおいて前記導体がジャックのスプリング端子に噛み合うことができるように形成された複数のスロットを有していて、前記キャリアを受け取るためのハウジングを含むことを特徴とする通信用プラグ。
【請求項１５】
請求項１４記載の通信用プラグであって、相補性クロストークのレベルを固定するための前記手段が前記導体の第１のものの上に配置された第１のプレート、及び前記導体の第２のものの上に配置された第２のプレートを含み、前記第１及び第２のプレートが実質的に平行であることを特徴とする通信用プラグ。
【請求項１６】
請求項１４記載の通信用プラグであって、相補性クロストークのレベルを固定するための前記手段が前記導体の少なくとも一つに近接して配置された第１及び第２のプレートを含み、前記第１及び第２のプレートが実質的に平行であることを特徴とする通信用プラグ。
【請求項１７】
ジャックへケーブルを相互接続するための通信用プラグであって、前記通信用プラグが、
誘電性のキャリアであって、前記キャリアがトップ・サイド、ボトム・サイド、ジャックと噛み合うように適合されたフロント・エンド、及びケーブルと噛み合うように適合されたバック・エンドを有し、
前記キャリア上に配置された第１及び第２の導体であって、前記導体のそれぞれが第１のエンド及び第２のエンドを有し、前記第１の導体の前記第１のエンドが前記キャリアの前記バック・エンドと前記ボトム・サイドに隣接して配向され、前記第１の導体は前記キャリアのフロント・サイドの周囲に、前記キャリアの前記ボトム・サイドに沿って延び、前記キャリアの前記トップ・サイドにおいて終端し、前記第１の導体の前記第２のエンドが前記キャリアの前記フロント・サイドと前記第１の導体の前記第１のエンドの間に配向されており、及び
前記第２の導体の前記第１のエンドが前記キャリアの前記バック・エンドと前記トップ・サイドに隣接して配向され、前記第２の導体は前記キャリアの前記フロント・サイドの周囲に前記キャリアの前記トップ・サイドに沿って延び、前記キャリアの前記ボトム・サイドにおいて終端し、前記第２の導体の前記第２のエンドは前記キャリアの前記フロント・サイドと前記第２の導体の前記第１のエンドの間に配向されていることを特徴とする通信用プラグ。
【請求項１８】
請求項１７記載の通信用プラグであって、前記プラグが前記キャリアの前記ボトム・サイドに隣接して配置された第１のプレートと第２のプレートを有し、前記第１及び第２のプレートは互いに実質的に平行であり、前記導体の少なくとも一つと電気的に通信し、前記第１及び第２のプレートが前記導体のインピーダンスを固定するように構成されていることを特徴とする通信用プラグ。
【請求項１９】
請求項１７記載の通信用プラグであって、前記第１の導体が導体の第１のグループの内の一つであり、前記第２の導体が導体の第２のグループの内の一つであり、導体の前記第１のグループは導体の前記第２のグループの間に挿入されていることを特徴とする通信用プラグ。
【発明の詳細な説明】
【０００１】
【発明の属する技術分野】
本発明は、概して、モジュール式の通信用プラグの分野に関し、特にコネクタ・ジャックについての性能が最適化されているような通信用プラグにおける相補性のクロストークの発生に関する。
【０００２】
【従来の技術、及び、発明が解決しようとする課題】
高速の、マルチメディア・サービスに対する需要の増加に対処するために、電気通信およびデータ伝送システムが近年において進化してきている。それに従って、元々は低いスループットに対して設計されたネットワーク・インフラストラクチャ上で益々高い周波数が伝送に使われつつある。現在のケーブルおよび配線は理論的にはそのような周波数の増加およびトラヒック量の増加を扱うことができるが、それらの間の配線経路が実効的にアンテナとなって電磁放射の発生および受信の両方に働き、それによってクロストークの問題が生じている。クロストークは複数のワイヤ・ペアを組み込んでいるシステムにおいて特に問題である。不幸にも、接続用のケーブルおよびハードウェア、たとえば、分配モジュールなどにおいて最も普通に使われているプラグおよびジャックが、一般に８本までの線（４つのワイヤ・ペア）を含み、それらは必然的に平行の向きで互いに密接しており、短い距離であっても非常に大きなクロストークを導く条件を備えており、そしてそれは信号の周波数またはデータのレートが増加するにつれて悪化する。
【０００３】
通信用のプラグおよびケーブルにおけるクロストークを減らすために、たとえば、個々のペアをシールドすること、ツイスト・ペアを螺旋状に巻くこと、あるいは、可能な場合は、１つのペアと他のペアとの間の物理的な距離を離すことなどの各種の技法が使われてきている。しかし、クロストークの問題は単純な最小化または削減の方法によっては管理することはできない。将来の応用においては、通信用プラグにおける実質的にすべてのクロストークを無くすことが望ましいが、伝来のシステム（すなわち、現在のジャック）は最適な性能のためにプラグ内に所定の量のクロストークを必要とする。伝来のジャックは通信用プラグにおけるクロストークに対する補正を行うように工夫されている。したがって、よく設計されたプラグはジャックの中で使われるものに対する相補性のクロストークを発生する必要があり、その２つのクロストークの信号の組合せが互いに打ち消し合うようになっている。
【０００４】
プラグおよびジャックまたはコネクタの中で発生されるクロストーク信号が完全に相補的であるためには、それらの振幅が等しく、位相が互いに１８０度ずれている必要がある。プラグおよびジャックの中で発生されるクロストーク信号はある定められた距離だけ最初に分離されており、その結果、信号が組み合わされる前に伝播の時間遅延が生じる。この伝播遅延は２つのクロストーク信号の間の位相差を所望の１８０度からある他の値へシフトさせる可能性があり、プラグとジャックのクロストーク信号が完全に互いに打ち消し合うのを妨げる。したがって、プラグにおける相補性のクロストークがジャックに最も近い所で発生され、その相補性クロストーク信号に対する伝播遅延が最小となるようにすることが望ましい。
【０００５】
したがって、そのプラグが使われるジャックまたはコネクタの補正のクロストーク特性に適応するように、所望のレベルのクロストークを発生するために変更することができる、設計可能なパラメータを有する通信用プラグが要求される。その通信用プラグは、プラグとジャックとのインターフェースの近くでクロストークを発生し、それぞれのコンポーネントからのクロストーク信号間の伝播遅延時間が最小となるのが好ましい。
【０００６】
【課題を解決するための手段】
本発明のある種の利点および新しい特徴が以下の記述の中で説明され、この分野の技術に熟達した人であれば、以下の説明を吟味することによって明確に分かるか、あるいは本発明の実際について知ることができる。
【０００７】
本発明は、一般に、伝来のジャックまたはコネクタにおける補正のクロストークを互いに補うクロストークを発生する通信用プラグに向けられている。１つの好適な実施形態においては、その通信用プラグは誘電体のキャリヤを含み、その上に複数の電気的導体が配置されている。各導体はそのキャリヤの第１の端に巻き付けられるように構成され、それによって一連の隣接した誘導性のループを形成している。クロストークはその誘導性のループを通る電流によって生じる電磁場の結果として導体間で発生される。
【０００８】
本発明の１つの態様によれば、プラグにおいて発生された相補性のクロストークは、そのキャリヤの端に巻き付けられている各導体ループの向きなどの設計可能なパラメータを変更することによって、所望のレベルに固定することができる。他の設計可能パラメータとしては、誘導性ループの長さ、誘電体キャリヤの設計、およびそのキャリヤが作られる材料のタイプなどがある。その誘導性のループはその導体がジャックのスプリング・ワイヤまたは端子と噛み合う場所でのプラグの突出部分またはフロントの領域に置かれるのが有利である。結果として、プラグまたはコネクタの中で発生されるクロストーク信号間の伝播遅延は最小化され、したがって、クロストーク補正設計の有効性が高められる。
【０００９】
本発明による通信用プラグはオプションとしてジャックまたはコネクタのインピーダンス・プロファイルを補正するための手段を含む。プラグおよびジャックのシステムのインピーダンスを、ケーブルの公称インピーダンスにマッチさせることによって、反射による信号の損失および前記反射による望ましくないノイズが最小化される。１つの好適な実施形態においては、そのインピーダンス・マッチングの手段はプラグの内部でキャパシタンスを生成するためにある種の導体の上に配置された平行プレートを含む。
【００１０】
本発明の他の特徴は、添付の図面を参照しながら特定の実施形態についての以下の詳細な説明を読めば、より容易に理解することができるだろう。
【００１１】
【発明の実施の形態】
本発明は、各種の変更および代わりの形式が可能であるが、その特定の実施形態が図面の中で例を示す方法によって示され、そして以下に詳細に説明される。しかし、本発明をその開示されている特定の形式に限定する意図はなく、反対に、本発明は、特許請求の範囲によって提供される本発明の精神および範囲内におけるすべての変更、等価物、および代替案をカバーすることが意図されている。
【００１２】
ここで図１および図２を参照すると、本発明の原理を具体化している通信用プラグ２０が示されており、ハウジング２２、複数の導体２４、および導体キャリヤ２６を含んでいる。普通はプラスチックなどの適切な誘電体材料から作られているハウジング２２は側壁２８および上側および下側の壁３０ａおよび３０ｂをそれぞれ備えている実質的に中空のシェルを含む。上側の壁３０ａはハウジングの突出部分またはフロント・エンドに、壁の端子ブロックの中に含まれているジャックのスプリングまたは、本発明のプラグが噛み合うように設計されているジャック・インターフェースを含んでいる他のコネクタを受け取るための複数のスロット３２を含む。スロット３２の個数およびハウジング２２の寸法は、終端される、および／または接続される導体の本数、および端子ブロックの中のジャックの形状によって変わる。ほとんどの応用においては、ハウジング２２の一般的な形状はそのスロットの個数と首尾一貫しており、そしてその全体の幅は導体の本数に関連して変化する。
【００１３】
ジャックの中に通信用プラグ２０を固定するために、ハウジング２２は下側の壁３０ｂから延びている弾力性のあるラッチ３４を含む。ラッチ３４は一端だけでハウジング２２に固定されているので、てこの原理をそのラッチに適用してロッキング・エッジ３６を上昇または下降させることができる。ハウジング２２がジャックの中に挿入される時、圧力をラッチ３４に加えてロッキング・エッジ３６を入れ易いように上昇させることができる。ハウジング２２がジャックの内部に着座すると、ラッチ３４を解放して、ロッキング・エッジ３６がジャックのフロントを形成しているプレートの背後に保持されるようにすることができ、そのようなプレートは一般にそのようなジャックにおいて標準であり、それによって接続を固定ことができる。同様に、ハウジング２２はラッチ３４上のてこを経由して解放し、ロッキング・エッジ３６をジャック・プレートの背後から解放して、ハウジング２２を取り除くことができるようにすることができる。
【００１４】
通信用プラグ２０の内部コンポーネントはコネクタ２４および導体キャリヤ２６を含む。キャリヤ２６は誘電体材料、たとえばプラスチックから作られ、個々の導体２４を受け取るために形成されているチャネルおよび窪みを備えている。キャリヤ２６の中に一度組み立てられた導体２４の配置が図３Ａおよび図３Ｂに最もよく示されている。図３Ａはキャリヤ２６の後部または背後の端から延びている導体２４のＩＤＣ側の端を示している。同様に、図３Ｂはキャリヤ２６の突出部分またはフロントに配置された導体２４のジャックおよびスプリング・インターフェース側の端を示している。本発明の原理は８芯の通信用プラグに適用されるように開示されている。この分野の技術に熟達した人であれば、ここで示されている概念を、クロストークがプラグおよびジャックまたはコネクタの両方において発生される任意の数の導体または線を含んでいるケーブルを終端するプラグに対して適用できることを理解できるだろう。それでもやはり、８芯のケーブルは、一般に４つのワイヤ・ペアとして構成される。これらのワイヤ・ペアは図３Ａおよび図３Ｂに示されているように、導体２４にマップされる。ペアＩは導体４４および４６（以下、ペア４４−４６）を含み；ペアIIは導体３８および４０（以下、ペア３８−４０）を含み、ペアIII は導体４２および４８（以下、ペア４２−４８）を含み；ペアIVは導体５０および５２（以下、ペア５０‐５２）を含む。ここで使われているペアの番号付けは例として示されているだけであることに留意されたい。本発明の原理は、任意の番号付けの方式またはペア割り当てに対して適用される。ペア４２−４８および４４−４６は、一般にプラグ２０における最大のクロストークが発生する。というのは、ペア４２−４８の中の導体がペア４４−４６の導体（図２Ｂ参照）にまたがるように分離されていなければならないからである。それは８芯のプラグにおける普通の標準である。前に説明したように、クロストークは、ペア４４−４６と４２−４８の間だけに発生するのではなく、すべてのペアの組合せの間で発生し、したがって、ジャックまたはコネクタの中に発生するクロストークを補正するように設計される必要がある。したがって、通信用プラグ２０は各ペアの組合せの間に発生するクロストークの量を固定するための何らかの手段を備えている必要がある。
【００１５】
図１および図２に戻って、導体２４はそれぞれループ側の端５４およびＩＤＣ側の端５６を備えているように示されている。ループ側の端５４はガイド壁５８によってキャリヤ２６の突出部分またはフロントに定義されているチャネルの中に受け取られる。ＩＤＣ側の端５６はキャリヤ２６の後部または背後の端におさまり、各接点は二股に分かれていて、間に狭いスロットが形成されているデュアルの長く延びた刃先を含む。そのデュアルの刃先のチップはケーブルからの絶縁された線を受け取り易くするように面取りされており、その刃先の内側のエッジは導体の絶縁を切り通すための鋭いエッジを備えている。ループ側の端５４は通信用プラグ２０の中に補正のクロストークが生じるように設計される主要な手段である。ループ側の端５４は密接して配置され、一連の、すなわち、配列の誘導性のループが形成され、それによって１つのループの中の電気的に交互に流れる電流が隣のループの中の電流をトリガする電磁場を発生する。その電磁場の方向と電流の方向とは関連している。さらに、ループ５４は実質的に平行の平面内に互いに配置され、それによって最大の誘導性の相互作用が発生する。また、この領域における導体の接近によって、導体間のキャパシタンスが発生し、それがクロストークを発生する。
【００１６】
したがって、プラグの設計者は発生される相補性のクロストークの量を調整するためにループ５４を含む、長さＬ1 、Ｌ2 、Ｌ3 によって定義されている領域内において自由に設計できるいくつかのパラメータを有する。第１のパラメータはどの導体がキャリヤ２６のトップ５７に沿って走り、どの導体がボトム５９に沿って走るかの選択である。図１および図２に示されているように、導体３８、４０、５０、および５２（すなわち、ペアIIおよびIV）は端５４が突出部分の周囲にループしてキャリヤ２６のボトム５９上で終端するように、キャリヤ２６のトップ５７に沿って延びている。逆に、導体４４、４６、４２、および４８（すなわち、ペアＩおよびIII ）は端５４が突出部分の周囲をループしていて、キャリヤ２６のトップ５７に沿って終端しているキャリヤ２６のボトム５９に沿って延びている。導体３８、４０、５０および５２においては、電流はキャリヤ２６のトップ５７に沿ってのみ流れ、そして導体４４、４６、２２、および４８においては、電流はキャリヤ２６のボトム５９に沿って、そしてキャリヤ２６のフロントまたは突出部分の上に（すなわち、長さＬ2 に沿って）流れる。前記のように、電磁場、したがって、誘導的に結合されたクロストークは導体の中の電流に直接関連している。また、容量性の結合はそれぞれの導体の相互の接近している度合いに関連付けられる。したがって、導体の位置を慎重に選択することによって、ほぼ最適のクロストーク伝導が実現され、それは他のパラメータの選択によってさらに最適化することができる。１つの好適な実施形態として特定の一組の導体の場所が開示されている。クロストークの伝導がここに示されているように最適化される他のコンダクター配置の組を使っている実装は、本発明の精神の範囲内にあることを理解されたい。
【００１７】
第２に、ペア４４−４６および４２−４８の誘導性のループが密接して並べられる長さＬ4 を調整することができる。これはループ５４の領域内のペア４４−４６と４２−４８との間に発生される誘導的に結合されるクロストークおよび容量的に結合されるクロストークの量に直接影響する（すなわち、Ｌ1 、Ｌ2 、およびＬ3 に沿って）。第３に、８本のすべての導体の電流の流れていない延びた部分の長さＬ5 を独立に変えてそれぞれの容量性結合を変えることができる。通信用プラグ２０におけるクロストークを管理するための第４のパラメータは、キャリヤ２６の設計およびキャリヤ２６が作られる材料である。キャリヤ２６は、一般にプラスチックなどの誘電体材料から作られ、それは容量を増やし、したがって、導体ペア間のクロストークを増加させる。実質的にすべての相補性クロストークを通信用プラグ２０の突出部分またはフロントにおいて発生し、プラグのボディにおけるクロストークを最小化し、プラグにおける相補性クロストークとギャップまたはコネクタからの補正クロストークとの間の伝播遅延を最小化することが望ましい。したがって、キャリヤ２６は、図１の中でＬ6 として識別されている領域における導体２４の電気的分離を最大にするように設計され、その領域はループ側の端５４の終端から始まり、導体２４のＩＤＣ側の端まで延びている。
【００１８】
この分野の技術に熟達した人であれば、本発明は通信用プラグにおける相補性クロストークを、主として長さＬ1 、Ｌ2 、およびＬ3 によって定義される領域に沿って、そして誘導性のループの端５４を通して、そしてこの領域内のキャパシタンスのアンバランスによって発生することが理解される。相補性クロストークは、通信用プラグ２０がジャックまたはコネクタのジャック・スプリングと噛み合っている場所のジャンクションにおいて発生され、したがって、信号の伝播遅延が最小化され、適切な補正技法を備えたシステムにおけるクロストークの消去が容易になるので有利である。
【００１９】
適切な相補性クロストークを発生する他に、プラグ２０とそのジャックの噛み合わされた組合せは、国際電気標準会議（ＩＥＣ）および電気通信工業会（ＴＩＡ）によって発行された標準の中に規定されているある種のリターン損失の条件を満足する必要がある。これらの標準はプラグのインピーダンスにおいて実効的に制限を課す。さらに、噛み合っている通信用プラグとジャックまたはコネクタのリターン損失を最小化するために、接続点のインピーダンスはそれと一緒に使われているケーブリングのインピーダンスとマッチする必要があることもよく知られている。したがって、ジャックまたはコネクタとプラグ２０との噛み合された組合せのインピーダンスを管理するため、そしてＩＥＣおよびＴＩＡの標準に適合させるために、容量性のプレート６０ａおよび６０ｂが導体４８および４２（すなわち、ペア４２−４８）にそれぞれ設けられている。誘電率の高いプラスチックから普通は作られている誘電体スペーサ６２がプレート６０ａと６０ｂを分離してキャパシタを形成する。誘電体スペーサ６２はプレート６０ａと６０ｂとの間に摩擦によって保持するか、あるいは接着剤で固定することができる。キャリヤ２６のボトム５９は、プレート６０ａ、６０ｂおよびスペーサ６２を受け取るための凹んだ領域６４を含む。プレート６０ａおよび６０ｂを隔てるために他の手段も使うことができる。たとえば、スペーサ６２の役割を果たすために、プレート６０ａの下に誘電性の接着テープを使うこともよく行われる。プレート６０ａおよび６０ｂのサイズ、誘電体スペーサ６２のサイズ、およびスペーサ６２が作られる材料のタイプは、すべて容量のレベルを調整するために変更することができる。さらに、プレート６０ａおよび６０ｂは代わりにディスクリート部品から設計することができ、そしてキャリヤ２６からの適切なサポートを付けて所望の導体に近接して配置することができる。
【００２０】
誘電体スペーサ６２によって導体４８が図２および図３Ａに示されているように、ペア４４−４６および４２‐４８の中の残っている導体から僅かにオフセットされることに留意されたい。実際の技術に熟達した人であれば、通信用プラグ２０の中に現われるインピーダンスおよび容量を調整するために、代わりのプレートの設計、容量性の領域を形成するための導体の密接した配置、および導体２４および／またはキャリヤ２６の両方の空間的構成を変える可能性のある導体２４の中の抵抗性の領域の設計などの代わりの手段が使えることが分かる。
【００２１】
本発明は、ここでは多芯のケーブルに対する通信用プラグにおいて実施されるように説明されてきた。前記から、通信用プラグはそのプラグが噛み合うジャックまたはコネクタの特性にマッチするように相補性クロストークを発生させるために、設計プロセスの間に考えておくことができることは容易に分かる。しかし、最も重要なのは、相補性クロストークはジャックまたはコネクタの中のジャックのスプリングと導体が噛み合う場所のプラグの突出部分またはフロントにおいて相補性クロストークが発生され、したがって、信号の伝播遅延が最小化され、そしてクロストークの補正設計の有効性が最大化される。相補性クロストークのレベルを固定するために、プラグの設計および製造の段階において調整することができるいくつかの設計可能なパラメータが識別される、。
【００２２】
詳細説明の締めくくりとして、この分野の技術に熟達した人（当業者）であれば、本発明の原理から実質的に逸脱することなしに、この好適な実施形態に対して多くの変更および修正が可能であることに留意されたい。そのような変更および修正はすべて、添付の特許請求の範囲に示されているように本発明の範囲内に含まれる。
【図面の簡単な説明】
【図１】本発明による通信用プラグの等尺性の分解組立図である。
【図２】プラグの下側を示す図１の通信用プラグの等尺性の分解組立図である。
【図３Ａ】図１のライン３Ａ’−３Ａ’に沿って取られた図１の通信用プラグの立面図であり、導体の絶縁変位コネクタ（ＩＤＳ）の端の配置を示す図である。
【図３Ｂ】図１のライン３Ｂ’−３Ｂ’に沿って取られた、図１の通信用プラグの立面図であり、そのプラグの突出部分またはフロント・エンドにおける導体の配置を示す図である。
【図１】
0003776261.tif 000002
【図２】
0003776261.tif 000003
【図３Ａ】
0003776261.tif 000004
【図３Ｂ】
0003776261.tif 000005